(57)【特許請求の範囲】
【請求項１】
本体下部側に吸気口、本体上部側に排気口及び送風ファンを有する通風路内に下部側から順に、
放電により前記吸気口からの空気中の粉塵を帯電させるとともに、上方へのイオン風を発生させる放電ユニットと、
前記帯電した粉塵を捕集する集塵ユニットと、
前記送風ファン運転時における空気中の粉塵を捕集する集塵フィルタとを備えるとともに、
前記集塵ユニットと集塵フィルタ間の通風路に連通してその近傍に、イオン風運転時には排気口となり、ファン運転時には吸気口となる開口部を形成したことを特徴とする空気清浄機。
【請求項２】
前記開口部は、本体の前面側に形成したことを特徴とする請求項１記載の空気清浄機。
【請求項３】
前記開口部は、上方に向いて開口するように形成したことを特徴とする請求項１又は請求項２記載の空気清浄機。
【請求項４】
前記開口部は、本体前面の上部側を覆う前ケースの中央部分を凹面形状とし、下部側を着脱自在に覆う前カバーの中央部分を凸面形状として、これらの凹面形状と凸面形状によって形成される隙間を、前記集塵ユニットと集塵フィルタ間の通風路に連通させることにより形成したことを特徴とする請求項１記載の空気清浄機。
【発明の詳細な説明】
【０００１】
【発明の属する技術分野】
本発明は、放電により粉塵を帯電させイオン風を利用して集塵する静音集塵機能と、ファン運転による急速集塵機能とを有する空気清浄機に関するものである。
【０００２】
【従来の技術】
放電（コロナ放電）により粉塵を帯電させて集塵する方法は、放電による電子流に伴って生じるイオン風を利用して、送風ファンを用いないで運転することができるため、特に夜間の低騒音化や省電力化にとって有効である。
【０００３】
従来より、上述したイオン風集塵機能とともに、送風ファンを備え、空気が汚れ易い日中や喫煙時などはファンを駆動して急速集塵するファン運転を行い、空気が余り汚れない夜間等はファンを停止して、上述した放電によるイオン風を利用した静音で省電力なイオン風運転に切り換えられるようにしたものも知られている。
【０００４】
【発明が解決しようとする課題】
しかしながら、上記ファン運転とイオン風運転とを切り換え可能な空気清浄機においては、イオン風が微弱で、ファン運転とイオン風運転では通風量が大きく異なるため、イオン風運転時とファン運転時の吸気口及び排気口をそれぞれ独立して設けていた。そのため、どうしても装置の全体寸法が大きくなるという問題点があった。
【０００５】
そこで、本発明はこのような問題点を解決するためになされたものであり、イオン風運転時とファン運転時の吸排気口等を工夫して、装置の小型化を図ることを目的とするものである。
【０００６】
また、下方に滞留する粉塵とともに、上方に浮遊する煙草の煙などの浮遊物も効果的に吸引することができる空気清浄機を提供することを目的とするものである。
【０００７】
【課題を解決するための手段】
上記目的を達成するために、本願発明は、本体下部側に吸気口、本体上部側に排気口及び送風ファンを有する通風路内に下部側から順に、放電により前記吸気口からの空気中の粉塵を帯電させるとともに、上方へのイオン風を発生させる放電ユニットと、前記帯電した粉塵を捕集する集塵ユニットと、前記送風ファン運転時における空気中の粉塵を捕集する集塵フィルタとを備えるとともに、前記集塵ユニットと集塵フィルタ間の通風路に連通してその近傍に、イオン風運転時には排気口となり、ファン運転時には吸気口となる開口部を形成したことを特徴とするものである。
【０００８】
また、前記開口部を本体の前面側に形成したことを特徴とするものである。
【０００９】
また、前記開口部を上方に向いて開口するように形成したことを特徴とするものである。
【００１０】
さらに、前記開口部は、本体前面の上部側を覆う前ケースの中央部分を凹面形状とし、下部側を着脱自在に覆う前カバーの中央部分を凸面形状として、これらの凹面形状と凸面形状によって形成される隙間を、前記集塵ユニットと集塵フィルタ間の通風路に連通させることにより形成したことを特徴とするものである。
【００１１】
【発明の実施の形態】
以下、本願発明の実施形態を図面を参照して詳細に説明する。
【００１２】
図１〜図５は、本実施形態による空気清浄機の全体構成図であり、図１は正面図、図２は上面図、図３は下面図、図４は側面図、図５は側断面図である。
【００１３】
この空気清浄機は、本体１が、後述する主要部品が組み込まれる後ケース２と、本体前面の上部側を覆い片側にリモコン操作可能な表示部３が設けられた前ケース４と、本体前面の下部側に着脱自在に設けられた前カバー５で覆われている。
【００１４】
また、それらの内側の上部には、排気口６が一体成形された前ケーシング７と後ケーシング８とから成り、後述する送風ファン７０を覆うファンケーシング９が組み込まれている。上記排気口６はファン運転時の吹出口となる。また、下部には、吸気口１０が一体成形されて、後述するプレフィルタ２０、放電ユニット３０、集塵ユニット４０等を着脱可能に装着するための内側ケース１１が組み込まれている。上記吸気口１０はイオン風運転時とファン運転時とで共用される。
【００１５】
上記後ケース２の一方側の側壁下部には電源をオン・オフするためのスイッチボタン１２が設けられており、また、前カバー５の両側壁上部には、当該前カバー５を取り外すときに使用されるクランプボタン１３が設けられている。このクランプボタン１３の内側には、後述する図１５に示すように、コイルバネ１３ａが装着されており、クランプボタン１３を押すとその爪１３ｂが後ケース２の両側に形成された取付穴２ａから外れて、前カバー５が外れるようになっている。
【００１６】
上記前ケース４の前面側は、図２に示すように中央部分が窪んだ凹面形状に形成されており、また、前カバー５の中央部分には凸面形状の化粧カバー５ａが取り付けられており、これらの凹面形状と凸面形状によって形成される隙間に、ファン運転時には吸気口となり、イオン風運転時には排気口なる上向きの開口部１４がスリット状に形成されている。この開口部１４は、前カバー５の上部側に横方向に形成された通気口５ｂを介して、後述する集塵ユニット４０と集塵フィルタ５０間の通風路１５に連通している。
【００１７】
上記のように構成することにより、イオン風運転時の吸気口と排気口がどちらもファン運転時の吸気口となって、その分だけ装置を小型化できる。さらに、ファン運転時には、本体下部側の吸気口１０により室内の下方に滞留する粉塵を、また上記開口部１４により室内の上方に浮遊している煙草の煙などの浮遊物を効果的に吸引して除去することができる。
【００１８】
また、本体１を壁掛け使用したり壁際に設置した場合に、イオン風運転により上記開口部１４よりイオンが放出されても、壁から離れる方向であるため、イオンで壁が汚れるようなことがなくなる。また、上記開口部１４は上方に向いて開口しているので、ファン運転時に、上方に浮遊している煙草の煙などの浮遊物をより効果的に吸引して除去することができる。
【００１９】
さらに、前ケース４の中央部分の凹面形状と、前カバー５の中央部分に取り付けられる化粧カバー５ａの凸面形状によって形成される隙間を、集塵ユニット４０と集塵フィルタ５０間の通風路１５に連通させることにより上記開口部１４を形成しているので、装置の美観を損ねることなく、装置の前面側に上向きの開口部１４を容易に形成できる。
【００２０】
さて、図５の側断面図及び前ケース４とファン前ケーシング７及び前カバー５を取り外した図６の正面図に示すように、内部の通風路１５には、下側から順に、プレフィルタ２０、放電ユニット３０、集塵ユニット４０、メインフィルタとなる集塵フィルタ（静電フィルタ）５０、紫外線ランプユニット６０、送風ファン７０が配置されている。
【００２１】
上記プレフィルタ２０は、本体底部側に形成された吸気口１０の内側に着脱自在に取り付けられ、吸い込まれる室内空気中に含まれる粉塵のうち比較的大きなものを除去する。
【００２２】
放電ユニット３０は、図７の一部拡大断面図及び図８のユニット斜視図に示すように、コロナ放電を発生させる放電線３１及び対向電極３２，３２がユニットケース３３に収納されて形成されている。この放電ユニットケース３３は下部側が全開放されており、上部側は対向電極３２，３２の枠体３２ａが嵌め込まれる凹部３３ａが形成されて開口されている。
【００２３】
上記放電線３１は、その両端がスプリング（図示せず）を介してユニットケース側壁に取り付けられており、このスプリングにより、放電線３１の線膨張等による伸び縮みを吸収して常に真っ直ぐに張ることができるとともに、放電により汚れた放電線３１を洗浄するために簡単に取り外しできるようになっている。この放電線３１には、後ケース２の片側に設置された高圧発生装置８０（図１３参照）より＋６．５ｋＶの高電圧が印加される。
【００２４】
また、対向電極３２は、上記放電線３１のやや上側の前後に配置された一対の接地電極からなり、放電線３１から図５，図７に点線矢印で示すようなコロナ放電が生じることにより、対向電極３２，３２間にある空気中の粉塵が帯電するとともに、一点鎖線矢印で示すような上方へのイオン風が生じる。
【００２５】
本実施形態では、上記対向電極３２，３２を、下部側，すなわち放電線３１側が幅狭となり、上部側，すなわち集塵ユニット４０側が幅広となるように、それぞれ傾斜して枠体３２ａに折曲げ形成されている。
【００２６】
このように対向電極３２，３２を上方に向かって間隔が幅広となるように傾斜して形成することにより、本実施形態のように放電ユニット３０と集塵ユニット４０間の間隔を狭くしても、図７に示すように、放電によるイオン風の発生方向に沿うように広い通風路が形成されるので、イオン風の通風抵抗を増加させることなく（イオン風の風量を減少させることなく）、装置の小型化を図ることができる。
【００２７】
また、ユニットケース３３の上面開口３３ｂの長手方向中央部には、放電線３１と集塵ユニット４０底部間に介在するとともに、通風の妨げとならない程度の幅の隔壁３３ｃが横架されている。
【００２８】
上記のような隔壁３３ｃを設けることにより、集塵ユニット４０の後述する集塵紙が装着ミス等により万一落下した際にも高圧の放電線３１に接触するのを防止することができる。また、隔壁３３ｃにより放電線３１と集塵ユニット４０の集塵電極間に直接放電が発生するのを防止でき、直接放電によりその部分の集塵紙が汚れて早く劣化するのを防ぐことができるため、放電ユニット３０と集塵ユニット４０間の間隔を狭くして装置の小型化を図ることができる。
【００２９】
なお、上記対向電極３２，３２の枠体３２ａからユニットケース３３の上面角部にアース端子３２ｂが延設されており、放電ユニット３０を本体１に装着すると、上記アース端子３２ｂが本体側のアース端子（図示せず）に接触するようになっている。
【００３０】
一方、集塵ユニット４０は、図９〜図１２に示すように構成されている。図９は集塵ユニット４０の側断面図、図１０は斜視図、図１１は正面図、図１２は下面図である。
【００３１】
この集塵ユニット４０のユニットケース４１は、両側の側板４１ａ，４１ａ間に、断面略Ｕ字形で頭部が幅狭になった主保持体４１ｂと、その上側に前記主保持体４１ｂの頭部４１ｃに隙間を有して被せられるように配置された上部保持体４１ｄとが横架された構成となっている。前記上部保持体４１ｄの前後の内壁には、後述する集塵電極板に形成された係止孔を引掛ける係止爪４１ｅ，４１ｅが形成されている。このような形状のユニットケース４１は、ユニットケース前半分４１ｆとユニットケース後半分４１ｇを分割成形した後、貼り付けて形成される。
【００３２】
上記主保持体４１ｂには、ほぼ全面を覆うように接地電極となる集塵電極板４２が装着される。この集塵電極板４２は、主保持体４１ｂの断面形状に合わせて断面略Ｕ字状に形成され、上部側は上部保持体４１ｄの内壁側に嵌まるように内側に折り曲げられている。この折曲部４２ａ，４２ａは、集塵電極板４１ｂを図９に示すように取り付けた状態で上部保持体４１ｄの下端部よりも下側に位置するように形成されており、これらの間に凹部４３が形成されるようになっている。
【００３３】
また、集塵電極板４２の装着を容易にするため、その折曲部４２ａから上端までの長さは主保持体４１ｂの幅狭となった頭部４１ｃとほぼ同じ長さになるように形成されている。さらに、集塵電極板４２の両上端部には、当該集塵電極板４２が主保持体４１ｂに密着した状態で、前述した上部保持体４１ｄの内壁に形成された係止爪４１ｅ，４１ｅに引掛かる係止孔４２ｂ，４２ｂが形成されている。このようにして装着される集塵電極板４２の上から集塵紙４４が被着される。集塵紙４４としては、一般的なペーパータオルが使用される。
【００３４】
一方、上部保持体４１ｄの前後両側には、両側板４１ａ間にわたる紙押さえ４５，４５が取り付けられている。これらの紙押さえ４５，４５は、それぞれ下端の凸部４５ａ，４５ａが内側を向いた断面Ｊ字状に形成されている。また、各紙押さえ４５の両側端部には、当該紙押さえ４５をユニットケース４１の両側板４１ａ上部に取り付けるための取付片４５ｂが設けられており、この取付片４５ｂに外側に向けて突設された回転軸４５ｃが側板４１ａに形成された軸孔に回動可能に挿入されている。
【００３５】
さらに、それぞれの紙押さえ４５，４５の両側の回転軸４５ｃ，４５ｃのうち、いずれか一方には捻りバネ４５ｄが装着されており、この捻りバネ４５ｄの矢印Ｐ方向への付勢力により、紙押さえ４５の凸部４５ａが下側から内側へ回動して、前述した上部保持体４１ｄと集塵電極板４２によって形成される凹部４３に嵌合し、集塵紙４４を上記凹部４３内に圧接するように構成されている。
【００３６】
また、紙押さえ４５の横方向中央部分には、集塵紙４４の取り付け時や取り外し時に、紙押さえ４５を捻りバネ４５ｄの付勢力に抗して下側に回動させ、その凸部４５ａの保持体側凹部４３への嵌合状態を解除するための摘み４５ｅが形成されている。
【００３７】
集塵紙４４を取り付けるときは、先ず一方の紙押さえ４５の摘み４５ｅを持って下側に回動させ、紙押さえ４５と上部保持体４１ｄとの間に集塵紙４４の一端を挿入して摘み４５ｅより手を離す。これにより集塵紙４４の一端側が図９の右側に示すように紙押さえ４５の凸部４５ａによって保持体側凹部４３に挟み込まれ、しっかりと固定される。この後、集塵紙４４を主保持体４１ｂに装着された集塵電極板４２に被着させるようにして反対側まで持ってきて、図９の左側に示すように他方の紙押さえ４５を上記と同様にして下側に回動させ、上部保持体４１ｄとの間に集塵紙４４の他端部を挿入して紙押さえ４５の凸部４５ａで保持体側凹部４３に挟み込む。このようにして集塵紙４４がセットされた集塵ユニット４０は本体１に装着される。
【００３８】
なお、図１０，図１２に示すように、上記ユニットケース４１における両側板４１ａ，４１ａの外側後部側縁の中央部分には、丸みを帯びた凸部４１ｈが形成されている。本集塵ユニット４０を本体１側に装着するときに、上記凸部４１ｈが図１３（図５のＡ−Ａ断面図）に示すように、内側ケース１１の後部側に形成された爪１１ａに係合することにより、本体１に着脱可能に装着される。
【００３９】
また、図１０に示すように、一方の側板４１ａの上記凸部４１ｈのやや上部側には、当該集塵ユニット４０を本体１側に装着したときに本体１側の接地ターミナルに接触する接点プレート４６が露出している。この接点プレート４６は、図１４（図５のＢ−Ｂ断面図）に示すように、ユニットケース後半分４１ｇの側板４１ａに巻き付けられるようにして取り付けられており、その一端が丸ａで示すように集塵電極板４２に内側から接触し、側板４１ａ外面に露出した部分が、丸ｂで示すように、本体１側の後ケース２に取り付けられた接地ターミナル４７に接触して、集塵電極板４２が接地電極となるようになっている。
【００４０】
前記放電ユニット３０により帯電された粉塵は、イオン風に乗って上記集塵ユニット４０の通風路を通る間に接地電極である集塵電極板４２に引き寄せられ、その表面に被着された集塵紙４４に捕集される。粉塵を多量に捕集して真っ黒になった集塵紙４４は、上記と同様に紙押さえ４５を摘み４５ｅを持って引き下げることにより取り外すことができ、新しい集塵紙４４と交換される。
【００４１】
上記のように、紙押さえ４５がその凸部４５ａで集塵紙４４を下から上に引っ張り込むようにして保持体側凹部４３に挟み込み圧接することにより、集塵紙４４を集塵電極板４２に密着して装着することができる。また、装着後も集塵紙４４を凸部４５ａと保持体側凹部４３で挟み込んで凹部４３側に圧接しているので、集塵紙４４のずれを防ぐことができ、集塵紙４４は集塵電極板４２に密着した状態に維持されるので、集塵紙４４と集塵電極板４２との間に隙間が生じて集塵能力が低下するのを防ぐことができる。
【００４２】
一方、上記集塵ユニット４０の上部側に配置される集塵フィルタ５０はフィルタフレーム５１に装着されて、本体１に着脱可能に取り付けられる。集塵ユニット４０と集塵フィルタ５０との間には上述した前面側開口部１４に連通する通気口５ｂが位置している。
【００４３】
図６に示したように、フィルタフレーム５１の前面側両サイドには当該フィルターフレーム５１を出し入れする際に用いる取手５１ａ，５１ａが設けられている。上記集塵フィルタ５０は、静電気を帯びた不織布等の繊維材に活性炭等の消臭剤を含ませた静電フィルタで、上記図６のＣ−Ｃ断面図である図１５（前カバー５及び５ａ装着状態）に示すように、集塵面積を大きくするために横方向にジグザグに折り畳まれてフィルタフレーム５１に装着されている。
【００４４】
一方、紫外線ランプユニット６０は、図５に示すように、紫外線ランプ６１が紫外線は外部に漏らさずに通風を可能とした箱形のユニットケース６２に収納され、本体１の後ケース２から張り出された取付ボス６３に取り付けられて、通風路のほぼ中央位置に配置され、通風路を通る空気の一部を殺菌処理する。
【００４５】
すなわち、紫外線ランプユニット６０は、図１６，図１７に示すように、棒状の紫外線ランプ６１と、この紫外線ランプ６１を収納する横長で上面開口の箱体６２ａと、この箱体６２ａの上面開口を覆う上蓋６２ｂとから構成されている。ユニットケース６２を構成する上記箱体６２ａ及び上蓋６２ｂは、紫外線が照射されても劣化しない金属製である。
【００４６】
上記箱体６２ａの長手側両側壁には、棒状の紫外線ランプ６１の両端部を支持して、紫外線ランプ６１をユニットケース６２内の中央に位置させるための略Ｕ字状の切欠き６２ｃ，６２ｃが形成されている。また、紫外線ランプ６１の両端部には、上記箱体６２ａの切欠き６２ｃ，６２ｃに嵌め込まれる鍔状体６１ａ，６１ａが取り付けられており、紫外線ランプ６１を取り付けたときに切欠き６２ｃを塞いで、紫外線が本体側壁方向へ漏れるのを防いでいる。これにより、合成樹脂で形成される本体側壁の紫外線劣化を防いでいる。
【００４７】
また、上記箱体６２ａの底板６２ｄと上蓋６２ｂには、紫外線ランプ６１を取り囲むように内側に切り起こされた切り起こし片６２ｅが複数形成されている。これにより、図１７に示すように、ユニットケース６２の中央に配置された紫外線ランプ６１から放射状に発せられる紫外線（点線矢示）が直接外部に漏れないようにして、本体内壁の紫外線劣化を防いでいる。
【００４８】
また、上記箱体６２ａの底板６２ｄと上蓋６２ｂには、上記のような切り起こし片６２ｅを形成することにより、対応する箇所が切り欠かれて同数のスリット６２ｆが形成されている。これにより、送風ファン７０の吸引によって、図１７に示すように、下から上に向かってユニットケース６２内を通る通風（実線矢示）を可能にして、通過する空気を殺菌できるようになっている。
【００４９】
さらに、上記ユニットケース６２の内面には、図示はできないが、紫外線を反射しにくい塗料、例えばフッ素樹脂系塗料による塗装が施してある。これにより、上記紫外線の直接光のみならず、ユニットケース６２の内面で反射してスリット６２ｆから反射光が漏れるのも防ぐことができ、本体内壁の紫外線劣化をより効果的に防いでいる。
【００５０】
なお、上記箱体６２ａの後壁の両端部には、ネジ孔６２ｇを有する取付用フランジ６２ｈが形成されており、図５に示した取付ボス６３に図６に示すようにネジ６４を用いて取り付けられる。
【００５１】
上記紫外線ランプユニット６０の上部側には、貫流式の送風ファン７０が設けられており、当該ファン７０は、図６に示すように後ケース２の左側に立設されたリブ２ｂと側壁間に支持板７１によって取り付けられたファンモータ７２により回転駆動される。当該ファン７０の回転軸の他端は、後ケース２の右側に立設されたリブ２ｂに取り付けられた軸受７３によって回転自在に支持されている。この送風ファン７０の回転によって吸引された空気は、本体最上部に形成された排気口６から室内に排出される。
【００５２】
次に、上記のように構成された本実施形態の動作について説明する。
【００５３】
先ず、イオン風運転による集塵について説明する。空気が余り汚れない夜間等において、リモコン操作等によりイオン風運転モードを選択すると、送風ファン７０と紫外線ランプユニット６０は停止したままの状態で、高圧発生装置８０の電源のみがオンとなる。
【００５４】
高圧発生装置８０がオンとなると、放電ユニット３０の放電線３１に＋６．５ｋＶの高電圧が印加され、接地電極である対向電極３２，３２へ向かってコロナ放電が発生する（図５の点線矢印）。このコロナ放電により図５に一点鎖線の矢印で示すようなイオン風が発生し、本体底部側の吸気口１０から室内空気が吸い込まれる。
【００５５】
吸気口１０から吸い込まれた空気は、プレフィルタ２０を通過することにより比較的大きな粉塵が除去されてから放電ユニット３０に入り、放電線３１と対向電極３２，３２との間で空気中の粉塵がプラスに帯電する。帯電した粉塵は、集塵ユニット４０の通風路を通過中に接地電極である集塵電極板４２に引き寄せられて、その表面に被着された集塵紙４４に捕集される。
【００５６】
粉塵が取り除かれて、きれいになった空気は、集塵ユニット４０と集塵フィルタ５０間の前カバー５に形成された通気口５ｂを介して、その上部側に上向きに形成された開口部１４から室内に排出される。
【００５７】
このようにイオン風運転時には、送風ファン７０や紫外線ランプユニット６０が動作しないので、静音で省電力な集塵を行うことができる。
【００５８】
また、イオン風運転時の排気口となる開口部１４は本体１の前面側に形成されているので、本体１を壁掛け使用したり壁際に設置した場合に、イオン風運転により開口部１４よりイオンが放出されても、壁から離れる方向であるため、壁がイオンで汚れるようなことがなくなる。
【００５９】
次に、ファン運転による集塵について説明する。空気が汚れ易い日中や喫煙時において、リモコン操作等によりファン運転モードを選択すると、ファンモータ７２とともに紫外線ランプ６１にも通電される。なお、高圧発生装置８０へは通電せず、放電ユニット３０は動作させない。
【００６０】
送風ファン７０が回転すると、その吸引力により、図５に実線矢印で示すように、室内下方の空気が本体底部側の吸気口１０を介して、また室内上方の空気が前記イオン風運転時には排気口として機能した開口部１４より、それぞれ本体内部に取り込まれる。
【００６１】
本体底部側の吸気口１０から吸い込まれた空気は、プレフィルタ２０で比較的大きな粉塵が除去された後、放電ユニット３０及び集塵ユニット４０を素通りして、集塵フィルタ５０に吸い込まれる。また、本体前面に上向きに形成した開口部１４より吸い込まれた室内上方の空気は、前カバー５に形成された通気口５ｂを通して、集塵フィルタ５０に吸い込まれる。
【００６２】
集塵フィルタ５０は静電フィルタであるので、細かな粉塵や煙草の煙等も捕集し、また活性炭により煙草の臭い等も消臭される。
【００６３】
集塵フィルタ５０で細かな粉塵や臭いを除去された空気は、その一部が紫外線ランプユニット６０へと誘導され、殺菌される。紫外線ランプユニット６０で殺菌された空気及びその前後を通過した空気は、送風ファン７０を介して、上部の排気口６より室内に排出される。なお、一部の空気しか紫外線ランプユニット６０を通らなくても、殺菌されなかった空気が循環して再び吸い込まれるので、時間経過とともに室内全体の空気が殺菌される。
【００６４】
このようにファン運転時には、送風ファン７０とともに紫外線ランプユニット６０が動作するので、急速殺菌集塵を行うことができる。
【００６５】
また、このファン運転時には、本体１底部側の吸気口１０とともに、前記イオン風運転時には排気口となった本体１前面に上向きに形成された開口部１４も吸気口となるので、室内の下方に滞留する粉塵を除去できるとともに、室内の上方に浮遊している煙草の煙などの浮遊物をより効果的に吸引して除去することができる。
【００６６】
なお、上記実施形態では、操作や構成の簡略化のため、放電ユニット３０のみを動作させるイオン風運転モードと、送風ファン７０及び紫外線ランプユニット６０を動作させるファン運転モードのみを設けたが、ファン運転時に更に放電ユニット３０を動作させるモードを設けても良く、この場合は、集塵ユニット４０と集塵フィルタ５０の両方で、方式の異なった集塵動作が行われるため、集塵性能の向上が期待できる。
【００６７】
また、上記実施形態では、放電線３１にプラスの高電圧を印加したが、マイナスの高電圧を印加するようにしても、同様な作用効果が得られる。
【００６８】
【発明の効果】
以上のように本願発明によれば、本体下部側の吸気口をイオン風運転時とファン運転時とで共用できるように構成するとともに、集塵ユニットと集塵フィルタ間の通風路に連通してその近傍に、イオン風運転時には排気口となり、ファン運転時には吸気口となる開口部を形成して、イオン風運転時の排気口をファン運転時の吸気口として兼用できるように構成したので、イオン風運転時の吸気口と排気口がどちらもファン運転時の吸気口となって、その分だけ装置を小型化できる効果がある。さらに、ファン運転時には、本体下部側の吸気口より室内下方に滞留する粉塵を、また上記開口部より室内上方に浮遊している煙草の煙などの浮遊物を効果的に吸引して除去することができる。
【００６９】
また、前記開口部を本体の前面側に形成したので、本体を壁掛け使用したり壁際に設置した場合に、イオン風運転によりイオンが放出されても、壁から離れる方向であるため、壁がイオンで汚れるようなことがなくなる。
【００７０】
また、前記開口部を上方に向いて開口するように形成したので、ファン運転時に、上方に浮遊している煙草の煙などの浮遊物をより効果的に吸引して除去することができる。
【００７１】
さらに、前記開口部は、本体前面の上部側を覆う前ケースの中央部分を凹面形状とし、下部側を着脱自在に覆う前カバーの中央部分を凸面形状として、これらの凹面形状と凸面形状によって形成される隙間を、前記集塵ユニットと集塵フィルタ間の通風路に連通させることにより形成したので、装置の美観を損ねることなく、装置の前面側に上向きの開口部を容易に形成できる。
【図面の簡単な説明】
【図１】本願発明の実施形態による空気清浄機の正面図。
【図２】同じく、その上面図。
【図３】同じく、その下面図。
【図４】同じく、その側面図。
【図５】同じく、その側断面図。
【図６】上記実施形態の内部構成を示す正面図。
【図７】上記図５の一部拡大断面図。
【図８】放電ユニットの斜視図。
【図９】集塵ユニットの側断面図。
【図１０】同じく、その斜視図。
【図１１】同じく、その正面図。
【図１２】同じく、その下面図。
【図１３】上記図５のＡ−Ａ断面図。
【図１４】上記図５のＢ−Ｂ断面図。
【図１５】上記図６のＣ−Ｃ断面図（前カバーは装着）。
【図１６】紫外線ランプユニットの分解斜視図。
【図１７】紫外線ランプユニットの側断面図。
【符号の説明】
１  本体
２  後ケース
４  前ケース
５  前カバー
５ａ  化粧カバー
５ｂ  通気口
６  排気口
１０  吸気口
１１  内側ケース
１４  開口部
１５  通風路
２０  プレフィルタ
３０  放電ユニット
３１  放電線
３２  対向電極
３３ｃ  隔壁
４０  集塵ユニット
４２  集塵電極板
４３  凹部
４４  集塵紙
４５  紙押さえ
５０  集塵フィルタ
６０  紫外線ランプユニット
６１  紫外線ランプ
６２  ユニットケース
６２ｅ  切り起こし片
６２ｆ  スリット
７０  送風ファン
８０  高圧発生装置
【図１】
0003691218.tif 000002
【図２】
0003691218.tif 000003
【図３】
0003691218.tif 000004
【図４】
0003691218.tif 000005
【図５】
0003691218.tif 000006
【図６】
0003691218.tif 000007
【図７】
0003691218.tif 000008
【図８】
0003691218.tif 000009
【図９】
0003691218.tif 000010
【図１０】
0003691218.tif 000011
【図１１】
0003691218.tif 000012
【図１２】
0003691218.tif 000013
【図１３】
0003691218.tif 000014
【図１４】
0003691218.tif 000015
【図１５】
0003691218.tif 000016
【図１６】
0003691218.tif 000017
【図１７】
0003691218.tif 000018